(57)【要約】【課題】ＤＶＤ＋ＲＷをメディアとして用いた場合に、撮影可能回数を増やす。【解決手段】ＤＶＤ＋ＲＷ１をメディアとして用いるＤＶＤビデオカメラ１０は、被写体を撮像し、撮像した動画像信号を所定の符号化モードで符号化する撮像手段３１，３２と、撮像手段３１，３２により生成された撮像データをＤＶＤ＋ＲＷ１に記録するディスク記録手段３３，３６とを備える。ディスク記録手段３３，３６は、撮像が開始された場合、ＤＶＤ＋ＲＷ１に既に記録済みのタイトルのうちの最終タイトルに含め、チャプタのみを新たに更新して記録を行う。【選択図】図５
2006190382.tif 000002
【特許請求の範囲】
【請求項１】
連続した物理領域に記録されたコンテンツの再生単位であるタイトル、及び、当該タイトル内を複数に分割したときの各分割単位であるチャプタが、データの管理単位として規定されたフォーマットが採用されている光ディスクに対して、データを記録する光ディスク記録装置において、
コンテンツデータが入力され、当該コンテンツデータを上記フォーマットに対応したデータストリームに符号化し、符号化したデータストリームを上記光ディスクに記録する記録手段と、
上記光ディスクに対する記録制御をする制御手段とを備え、
上記制御手段は、
新たなコンテンツデータを上記光ディスクに記録する場合、その新たなコンテンツデータを記録済みのタイトルのうちの最終のタイトルに続く物理領域に記録するとともに、その新たなコンテンツデータをその最終タイトルの最終のチャプタに続くチャプタとして記録すること
を特徴とする光ディスク記録装置。
【請求項２】
上記フォーマットには、１つのタイトル内に含まれる最大のチャプタ数がＮ（Ｎは２以上の自然数。）であると規定されており、
上記制御手段は、上記最終のタイトルに含まれているチャプタ数が既にＮである場合には、上記新たなコンテンツデータを新たなタイトルとして記録すること
を特徴とする請求項１記載の光ディスク記録装置。
【請求項３】
上記記録手段は、入力されたコンテンツデータを、複数の符号化モード及び符号化方式で符号化が可能であり、
上記制御手段は、最終のタイトルとして記録されているコンテンツデータの符号化モード又は符号化方式と、新たなコンテンツデータの符号化モード又は符号化方式とが異なる場合には、上記新たなコンテンツデータを新たなタイトルとして記録すること
を特徴とする請求項２記載の光ディスク記録装置。
【請求項４】
上記制御手段は、上記最終のタイトルが他の光ディスク記録装置により記録されている場合には、上記新たなコンテンツデータを新たなタイトルとして記録すること
を特徴とする請求項２記載の光ディスク記録装置。
【請求項５】
上記制御手段は、上記最終のタイトルが消去及び変更禁止状態とされている場合には、上記新たなコンテンツデータを新たなタイトルとして記録すること
を特徴とする請求項２記載の光ディスク記録装置。
【請求項６】
上記光ディスクは、ＤＶＤ＋ＲＷディスクであること
を特徴とする請求項１記載の光ディスク記録装置。
【請求項７】
連続した物理領域に記録されたコンテンツの再生単位であるタイトル、及び、当該タイトル内を複数に分割したときの各分割単位であるチャプタが、データの管理単位として規定されたフォーマットが採用されている光ディスクに対して、コンテンツデータを符号化して記録する光ディスク記録方法において、
新たなコンテンツデータを上記光ディスクに記録する場合、その新たなコンテンツデータを記録済みのタイトルのうちの最終のタイトルに続く物理領域に記録するとともに、その新たなコンテンツデータをその最終タイトルの最終のチャプタに続くチャプタとして記録すること
を特徴とする光ディスク記録方法。
【請求項８】
上記フォーマットには、１つのタイトル内に含まれる最大のチャプタ数がＮ（Ｎは２以上の自然数。）であると規定されており、
上記最終のタイトルに含まれているチャプタ数が既にＮである場合には、上記新たなコンテンツデータを新たなタイトルとして記録すること
を特徴とする請求項７記載の光ディスク記録方法。
【請求項９】
最終のタイトルとして記録されているコンテンツデータの符号化モード又は符号化方式と、新たなコンテンツデータの符号化モード又は符号化方式とが異なる場合には、上記新たなコンテンツデータを新たなタイトルとして記録すること
を特徴とする請求項８記載の光ディスク記録方法。
【請求項１０】
上記最終のタイトルが他の光ディスク記録方法により記録されている場合には、上記新たなコンテンツデータを新たなタイトルとして記録すること
を特徴とする請求項８記載の光ディスク記録方法。
【請求項１１】
上記最終のタイトルが消去及び変更禁止状態とされている場合には、上記新たなコンテンツデータを新たなタイトルとして記録すること
を特徴とする請求項８記載の光ディスク記録方法。
【請求項１２】
上記光ディスクは、ＤＶＤ＋ＲＷディスクであること
を特徴とする請求項７記載の光ディスク記録方法。
【請求項１３】
被写体を撮像し、撮像した動画像信号を所定の符号化モードで符号化する撮像手段と、
上記撮像手段により生成された撮像データを、光ディスクに記録するディスク記録手段とを備え、
上記ディスク記録手段は、
連続した物理領域に記録されたコンテンツの再生単位であるタイトル、及び、当該タイトル内を複数に分割したときの各分割単位であるチャプタが、データの管理単位として規定されたフォーマットが採用されている光ディスクに対して、そのフォーマットに従ってデータを記録し、
上記撮像手段により撮像が開始された場合、その撮像データを記録済みのタイトルのうちの最終のタイトルに続く物理領域に記録するとともに、その撮像データをその最終タイトルの最終のチャプタに続くチャプタとして記録すること
を特徴とするカメラ一体型ディスク記録装置。
【請求項１４】
上記フォーマットには、１つのタイトル内に含まれる最大のチャプタ数がＮ（Ｎは２以上の自然数。）であると規定されており、
上記ディスク記録手段は、上記最終のタイトルに含まれているチャプタ数が既にＮである場合には、上記撮像データを新たなタイトルとして記録すること
を特徴とする請求項１３記載のカメラ一体型ディスク記録装置。
【請求項１５】
上記撮像手段は、撮像した動画像信号を複数の符号化モード及び符号化方式で符号化が可能であり、
上記ディスク記録手段は、最終のタイトルとして記録されているコンテンツデータの符号化モード又は符号化方式と、撮像データの符号化モード又は符号化方式とが異なる場合には、上記撮像データを新たなタイトルとして記録すること
を特徴とする請求項１４記載のカメラ一体型ディスク記録装置。
【請求項１６】
上記ディスク記録手段は、上記最終のタイトルが他のカメラ一体型ディスク記録装置により記録されている場合には、上記撮像データを新たなタイトルとして記録すること
を特徴とする請求項１４記載のカメラ一体型ディスク記録装置。
【請求項１７】
上記ディスク記録手段は、上記最終のタイトルが消去及び変更禁止状態とされている場合には、上記撮像データを新たなタイトルとして記録すること
を特徴とする請求項１４記載のカメラ一体型ディスク記録装置。
【請求項１８】
上記光ディスクは、ＤＶＤ＋ＲＷディスクであること
を特徴とする請求項１３記載のカメラ一体型ディスク記録装置。
【発明の詳細な説明】
【技術分野】
【０００１】
本発明は、例えばＤＶＤ等の光ディスクに対してデータを記録する光ディスク記録装置及び方法並びにカメラが一体化されたカメラ一体型ディスク記録装置に関する。
【背景技術】
【０００２】
近年、民生用ビデオカメラでは、記録媒体として、記録型のＤＶＤであるＤＶＤ−ＲＷ及びＤＶＤ＋ＲＷを用いるようになってきている。
【０００３】
ＤＶＤ−ＲＷ及びＤＶＤ＋ＲＷは、直径１２ｃｍ、厚さ１．２ｍｍの片面で４．７Ｇバイトの容量の記録可能な光ディスクである。ＤＶＤ−ＲＷは、ＤＶＤの民間規格団体である“ＤＶＤフォーラム” （例えば非特許文献１を参照。）で提案されたディスクであり、ＤＶＤ＋ＲＷは、ＤＶＤフォーラムとは異なる民間規格団体である“ＤＶＤ＋ＲＷアライアンス” （例えば非特許文献２を参照。）で提案されたディスクである。
【０００４】
ＤＶＤ−ＲＷ及びＤＶＤ＋ＲＷは、両者とも、“ＤＶＤフォーラム”により規定されている再生専用のＤＶＤ（ＤＶＤ-ＶＩＤＥＯ）とのフォーマットの互換性が取られたディスクであり、再生専用のＤＶＤプレーヤによって参照をすることができる。
【０００５】
また、ＤＶＤフォーラムにより提案されているＤＶＤ-ＶＩＤＥＯ規格では、データ単位として“タイトル”と呼ばれる単位が規定されている。本規格で規定された“タイトル”とは、例えば、映画の１作品や音楽アルバムの１作品等の１つのコンテンツの再生単位を示す概念である。ＤＶＤ-ＶＩＤＥＯ規格では、１つのＤＶＤディスクに対して９９個のタイトルまで記録することができるとしている。
【０００６】
ＤＶＤ−ＲＷ及びＤＶＤ＋ＲＷでも、ＤＶＤ-ＶＩＤＥＯ規格との互換性を保つために、“タイトル”という単位を用いて、記録したコンテンツを管理している。ＤＶＤ−ＲＷでは、１つのディスクに対して９９個のタイトルを記録することが可能であり、ＤＶＤ＋ＲＷでは、１つのディスクに対して４９個のタイトルを記録することが可能となっている。
【０００７】
【非特許文献１】ＤＶＤフォーラム公式サイト、［平成１６年１２月１６日検索］、インターネット＜URL :http://www.dvdforum.org /＞
【非特許文献２】ＤＶＤ＋ＲＷアライアンス公式サイト、［平成１６年１２月１６日検索］、インターネット＜URL :http://www.dvdrw.com/＞
【発明の開示】
【発明が解決しようとする課題】
【０００８】
ところで、従来、記録媒体としてＤＶＤ−ＲＷ及びＤＶＤ＋ＲＷを用いたＤＶＤレコーダでは、１回の録画動作（録画開始ボタンが押されてから停止ボタンが押されるまでの動作）で生成された動画像コンテンツを、１つのタイトルに割り当てて記録をしている。そのため、空き容量の有無に関わらず、そのディスクに対してある一定回数の録画動作を行うと、それ以上の追加記録を行うことができなかった。例えばＤＶＤ＋ＲＷであれば、一枚のディスクに対して４９回の録画しか行うことができなかった。
【０００９】
もっとも、テレビジョン放送を録画する場合には、１回の録画操作で１時間や２時間とった長時間の記録が行われるので、通常は、録画回数が一定の回数に達する前に先にディスクの空き領域がなくなり、特に問題はなかった。
【００１０】
ところが、民生用ビデオカメラで撮影を行う場合、テレビジョン放送を録画するのとは異なり、１回の撮影に要する時間（録画開始ボタンが押されてから停止ボタンが押されるまでの時間）が比較的に短く、且つ、撮影の操作も何度も行われるのが通常である。
【００１１】
そのため、民生用ビデオカメラの記録媒体としてＤＶＤ−ＲＷ及びＤＶＤ＋ＲＷを用いた場合、撮影という特殊性から、ディスクの空き領域が大量に残っているにも関わらず、タイトル数が所定数に達してしまい、追加記録が不可能となる可能性があった。
【００１２】
特に、ＤＶＤ＋ＲＷの場合には、１つのディスクに４９個のタイトルまでしか記録することができないために問題であった。
【００１３】
本発明は、以上のような問題を解決するものであり、記録済みコンテンツの管理単位としてタイトルが規定されたフォーマットが採用されている光ディスクに対して、コンテンツを記録する際に、より多い回数の録画又は撮影動作を可能とし、光ディスクの記録領域を有効に利用することができる光ディスク記録装置及び方法並びにカメラ一体型ディスク記録装置を提供することを目的とする。
【課題を解決するための手段】
【００１４】
本発明に係る光ディスク記録装置は、連続した物理領域に記録されたコンテンツの再生単位であるタイトル、及び、当該タイトル内を複数に分割したときの各分割単位であるチャプタが、データの管理単位として規定されたフォーマットが採用されている光ディスクに対して、データを記録する光ディスク記録装置において、コンテンツデータが入力され、当該コンテンツデータを上記フォーマットに対応したデータストリームに符号化し、符号化したデータストリームを上記光ディスクに記録する記録手段と、上記光ディスクに対する記録制御をする制御手段とを備え、上記制御手段は、新たなコンテンツデータを上記光ディスクに記録する場合、その新たなコンテンツデータを記録済みのタイトルのうちの最終のタイトルに続く物理領域に記録するとともに、その新たなコンテンツデータをその最終タイトルの最終のチャプタに続くチャプタとして記録することを特徴とする。
【００１５】
本発明に係る光ディスク記録方法は、連続した物理領域に記録されたコンテンツの再生単位であるタイトル、及び、当該タイトル内を複数に分割したときの各分割単位であるチャプタが、データの管理単位として規定されたフォーマットが採用されている光ディスクに対して、コンテンツデータを符号化して記録する光ディスク記録方法において、新たなコンテンツデータを上記光ディスクに記録する場合、その新たなコンテンツデータを記録済みのタイトルのうちの最終のタイトルに続く物理領域に記録するとともに、その新たなコンテンツデータをその最終タイトルの最終のチャプタに続くチャプタとして記録することを特徴とする。
【００１６】
本発明に係るカメラ一体型ディスク記録装置は、被写体を撮像し、撮像した動画像信号を所定の符号化モードで符号化する撮像手段と、上記撮像手段により生成された撮像データを、光ディスクに記録するディスク記録手段とを備え、上記ディスク記録手段は、連続した物理領域に記録されたコンテンツの再生単位であるタイトル、及び、当該タイトル内を複数に分割したときの各分割単位であるチャプタが、データの管理単位として規定されたフォーマットが採用されている光ディスクに対して、そのフォーマットに従ってデータを記録し、上記撮像手段により撮像が開始された場合、その撮像データを記録済みのタイトルのうちの最終のタイトルに続く物理領域に記録するとともに、その撮像データをその最終タイトルの最終のチャプタに続くチャプタとして記録することを特徴とする。
【発明の効果】
【００１７】
本発明では、新たなコンテンツデータを光ディスクに記録する場合、その新たなコンテンツデータを記録済みのタイトルのうちの最終のタイトルに続く物理領域に記録するとともに、その新たなコンテンツデータをその最終タイトルの最終のチャプタに続くチャプタとして記録する。
【００１８】
このことにより本発明では、記録済みコンテンツの管理単位としてタイトルが規定されたフォーマットが採用されている光ディスクに対して、コンテンツを記録する際に、より多い回数の録画又は撮影動作を可能とし、光ディスクの記録領域を有効に利用することができる。
【発明を実施するための最良の形態】
【００１９】
本発明が適用されたカメラ一体型のＤＶＤ記録装置（以下、単にビデオカメラと呼ぶ。）について説明をする。
【００２０】
図１は、本発明が適用されたビデオカメラ１０の外観斜視図である。
【００２１】
ビデオカメラ１０は、図１に示すように、片手で持ち運びできる程度の小型の動画像撮像装置である。ビデオカメラ１０は、カメラ装置とＤＶＤ記録装置とが一体的に構成されている。つまり、ビデオカメラ１０は、動画像の撮影をして動画像信号及び音声信号を生成し、生成した動画像信号及び音声信号をＭＰＥＧ-１又はＭＰＥＧ-２方式で圧縮符号化し、光ディスクメディアであるＤＶＤに記録を行う。
【００２２】
ここで、ビデオカメラ１０が用いている記録メディアは、ＤＶＤ＋ＲＷディスク１である。
【００２３】
ＤＶＤ＋ＲＷディスク１は、直径１２ｃｍ、厚さ１．２ｍｍの一層で４．７Ｇバイトの容量の記録可能な光ディスクである。ＤＶＤ＋ＲＷディスク１は、民間規格団体である“ＤＶＤ＋ＲＷアライアンス”で提案されたフォーマットに対応したディスクであり、 “ＤＶＤフォーラム”により規定されている再生専用のＤＶＤ（ＤＶＤ-ＶＩＤＥＯ）とのフォーマットの互換性が取られている。
【００２４】
ＤＶＤ＋ＲＷのフォーマット
まず、ＤＶＤ＋ＲＷの記録フォーマットについて説明をする。
【００２５】
図２に、ＤＶＤ＋ＲＷディスク１上にコンテンツデータを記録した場合の各ファイル等の記録位置を示す。
【００２６】
ＤＶＤ＋ＲＷディスク１の記録領域には、図２に示すように、内周側（Ｌｅａｄ−ｉｎ側）から外周側（Ｌｅａｄ−ｏｕｔ側）に向い、第１のＦＳエリア１１と、ＶＲＭエリア１２と、ＶＭＧエリア１３と、ＶＴＳエリア１４と、第２のＦＳエリア１５とが形成されている。
【００２７】
第１のＦＳエリア１１及び第２のＦＳエリア１５には、ＵＤＦ（ユニバーサルディスクフォーマット）ファイルシステムが記録される。ＵＤＦファイルシステムは、当該記録領域内に記録されている全ファイルの管理を行うための情報であり、各ファイルの開始位置及びサイズ、ファイル名、記録日時等の情報が記述されている。第１のＦＳエリア１１はディスクの最内周に形成されており、第２のＦＳエリア１５は外周側に形成されている。
【００２８】
ＶＲＭエリア１２は、第１のＦＳエリア１１の外周側に形成されている。ＶＲＭエリア１２には、ＤＶＤ-ＶＩＤＥＯ規格で規定されているデータではない、ＤＶＤ＋ＲＷで独自に定められているＶＲＭ．Ｓｃｒａｔｃｈ、ＶＲＭＩ（Video Recording Manager Information）、ＶＲＭ ＵｓｅｒＤａｔａが記録される。ＶＲＭＩには、タイトル等に関する管理情報が記録されている。具体的には、ＶＴＳエリア１４に記録されている各タイトルの実体データの位置、各タイトルの記録日時、タイトルのタイトル名、ディスク名、並びに、そのタイトルのプロテクト情報（そのタイトルが消去禁止又は変更禁止になっているか否かを示す情報）等が記述されている。
【００２９】
ＶＭＧエリア１３は、ＶＲＭエリア１２の外周側に形成されている。ＶＭＧエリア１３には、ＤＶＤ-ＶＩＤＥＯ規格で規定されているＶＭＧ（Video Manager）が記録される。ＶＭＧは、ＶＴＳエリア１４に記録されている各ＶＴＳの記録アドレス、ＶＴＳ数等の情報、及び、タイトルを再生するためのユーザインタフェース画面であるメニュー画面を表示及び制御させるためのメニューデータ（ＭＰＥＧ-２データム及び管理制御データ）が記録されている。
【００３０】
ＶＭＧは、具体的には、ＶＭＧＩ、ＶＭＧＭ＿ＶＯＢＳ、ＶＭＧＩＢａｃｋｕｐで構成されている。ＶＭＧＭ＿ＶＯＢＳには、メニューデータの実体データ（ＭＰＥＧ-２データ等）が記述されている。ＶＭＧＩは、メニューデータを再生するとともにメニュー画面を制御するための管理データが記述されている。ＶＭＧＩ Ｂａｃｋｕｐは、ＶＭＧＩのバックアップデータである。
【００３１】
ＶＴＳエリア１４は、ＶＭＧエリア１３の外周側に形成されている。
【００３２】
ＶＴＳエリア１４には、図３に示すように、ＤＶＤ-ＶＩＤＥＯ規格で規定されているＶＴＳ（Video Title Set）、及び、ＶＲＭＩのバックアップデータであるＶＲＭＩ Ｂａｃｋｕｐが記録される。
【００３３】
ＤＶＤ＋ＲＷの場合、ＶＴＳは、タイトルの管理単位であり、管理データと実体データとから構成されるタイトルセットとなる。
【００３４】
ＤＶＤ＋ＲＷの場合、ＶＴＳエリア１４内に、各タイトルの符号化方式により１〜３個のＶＴＳが形成される。例えば、全てのタイトルでビデオの符号化方式が同じならば、ＶＴＳが１個形成され、３種類の異なる符号化方式からなるタイトルが１つのディスクに混在する場合にはＶＴＳは３個となる。
【００３５】
各ＶＴＳは、図３に示すように、ＶＴＳＩ＃ｎ２１-ｎと、ＶＴＳＴＴ＿ＶＯＢＳ＃ｎ２２-ｎと、ＶＴＳＩ＃ｎ Ｂａｃｋｕｐ２３-ｎから構成されている。ここで“ｎ”は、ＶＴＳ番号を示した１から３までの整数である。
【００３６】
ＶＴＳＩ＃ｎ２１-ｎは、そのＶＴＳの管理情報が含まれたファイルである。具体的には、そのＶＴＳで管理されているタイトルの名称、各タイトルの記録位置、各タイトルの時間、各タイトル内に含まれているチャプタの数、各チャプタの名称、各チャプタの先頭の記録位置、等々が記述されている。
【００３７】
ＶＴＳＴＴ＿ＶＯＢＳ＃ｎ２２-ｎは、ＶＴＳの実体データ、すなわち、動画像及び音声等の符号化データが含まれたファイルである。
【００３８】
ＶＴＳＩ＃ｎ Ｂａｃｋｕｐ２３-ｎは、ＶＴＳＩ＃ｎ２１-ｎのバックアップデータである。
【００３９】
なお、ＤＶＤ＋ＲＷでは、ＶＴＳＩ＃１２１-１〜ＶＴＳＩ＃３２１-３の各管理情報は、ＶＴＳエリア１４の先頭部分にまとめて記録される。また、ＶＴＳＴＴ＿ＶＯＢＳ＃１は、ＶＴＳエリア１４内の所定の固定のアドレスから記録が開始される。
【００４０】
さらに、ＶＴＳＩ＃ｎ Ｂａｃｋｕｐ２３-ｎの直後には、ＶＲＭＩ４２のバックアップデータであるＶＲＭＩ Ｂａｃｋｕｐ２４が記録される。
【００４１】
また、ＶＲＭＩ Ｂａｃｋｕｐ２４の直後、及び、ＶＴＳエリア１４の最後の部分（第２のＦＳエリア１５の直前）には、所定量のパディングデータが記録される。
【００４２】
タイトル，チャプタ
つぎに、ＤＶＤ−ＶＩＤＥＯ規格におけるＶＴＳ、タイトル、チャプタの関係について説明をする。
【００４３】
図４は、ＶＴＳ、タイトル、チャプタの関係を示す図である。
【００４４】
ＤＶＤ−ＶＩＤＥＯ規格では、記録するコンテンツを“タイトル”及び“チャプタ”という再生単位で管理をしている。
【００４５】
“タイトル”とは、例えば、映画の１作品や音楽アルバムの１作品等の１つのコンテンツの再生単位を示す概念である。ＤＶＤ＋ＲＷでも、当該規格と互換を有するように“タイトル”という単位でコンテンツを管理している。ＤＶＤ＋ＲＷでは、１つのディスク内に対して４９個のタイトルまで記録することができるとしている。
【００４６】
ＶＴＳは、このようなタイトルが複数集合した管理単位である。ＤＶＤ＋ＲＷでは、最大で３個のＶＴＳが形成される。ＤＶＤ＋ＲＷでは、そのタイトルの動画像の符号化方式がＭＰＥＧ-１であった場合には１番目のＶＴＳ（ＶＴＳ＃１）に含め、そのタイトルの動画像の符号化方式がＭＰＥＧ-２のハーフモード（水平ライン数３５２本）であった場合には２番目のＶＴＳ（ＶＴＳ＃２）に含め、そのタイトルの動画像の符号化方式がＭＰＥＧ-２の標準モード（水平ライン数７２０本）であった場合には３番目のＶＴＳ（ＶＴＳ＃３）に含めるようにしている。
【００４７】
また、ＤＶＤ-ＶＩＤＥＯ規格では、もともと読み出し専用のＲＯＭ規格を想定して規定されているため、“途中で途切れることなくシームレスに再生されるタイトルを構成するデータは必ず物理上連続した記録領域に記録されていなければならない”、と規定されている。すなわち、シームレスに再生されるタイトルを構成するデータが、未記録領域や他のタイトルのデータを挟んで、複数の物理領域にわたって記録されていてはならない、と規定されている。
【００４８】
また、ＤＶＤフォーラムにより提案されているＤＶＤ-ＶＩＤＥＯ規格では、“チャプタ”と呼ばれる単位も規定されている。本規格で規定された“チャプタ”とは、タイトル内を複数に分割した単位であり、検索等を容易にするために設定された単位である。ＤＶＤ-ＶＩＤＥＯ規格では、１つのタイトル内に９９個のチャプタまで記録することができるとしている。
【００４９】
従って、ＤＶＤ-ＶＩＤＥＯ規格と互換性を有するＤＶＤ＋ＲＷディスクに対して、コンテンツの記録を行う場合には、通常のＤＶＤレコーダ（本ビデオカメラ１０ではない装置）では、１回の録画（録画開始ボタンが押されてから停止ボタンが押されるまでの動作）で生成された動画像及び音声符号化データを、１つのタイトルとして記録をする。また、通常のＤＶＤレコーダ（本ビデオカメラ１０ではない装置）では、例えば、場面の切換タイミング等で、チャプタの切換を行って記録をしている。
【００５０】
ビデオカメラ１０の構成及び動作
つぎに、ビデオカメラ１０の内部構成及び録画動作について説明をする。
【００５１】
図５は、ビデオカメラ１０のブロック構成図である。
【００５２】
ビデオカメラ１０は、図５に示すように、カメラ部３１と、符号化処理部３２と、ＤＶＤ記録ドライブ３３と、操作入力部３４と、表示部３５と、制御部３６とを備えている。
【００５３】
カメラ部３１は、被写体からの光が入射される光学系４１と、光学系４１を介して被写体像光を受光して画像信号に変換するイメージセンサ４２と、イメージセンサ４２により生成された画像信号に対して各種信号処理を行ってデジタルの動画像信号を生成するカメラ信号処理部４３と、外部音を検出して音声信号に変換するマイクロフォン４４と、マイクロフォン４４により検出された音声信号に対してデジタル化等の処理を行ってデジタルの音声信号を生成する音声処理部４５とを備えている。
【００５４】
符号化処理部３２は、カメラ部３１から出力された動画像信号及び音声信号を、ＭＰＥＧ-１又はＭＰＥＧ-２の符号化方式で符号化する。
【００５５】
ＤＶＤ記録ドライブ３３は、ＤＶＤ＋ＲＷディスク１の着脱が行われ、ＤＶＤ＋ＲＷディスク１が装着されている状態の時に当該ディスク１にデータを記録する記録装置である。
【００５６】
操作入力部３４は、録画開始ボタン、停止ボタン等を含んだユーザインタフェースであり、当該ビデオカメラ１０の筐体外部に設けられている。
【００５７】
表示部３５は、ユーザに対して撮像中の画像を表示するファインダである。
【００５８】
制御部３６は、カメラ部３１，符号化処理部３２，操作入力部３４及び表示部３５の制御を行う。さらに、制御部３６は、ＤＶＤ＋ＲＷディスク１に記録する際に、ＤＶＤ＋ＲＷのフォーマットで規定された各種の管理制御情報を生成する。また、制御部３６は、符号化処理部３２により生成されたＭＰＥＧ-２データ、及び、当該制御部３６により生成した管理制御情報を、ＤＶＤ＋ＲＷのフォーマットに従ったディスク１上の所定の物理位置に記録するように、記録アドレスの制御等を行う。
【００５９】
以上のようなビデオカメラ１０の撮影動作は次のようになる。
【００６０】
ビデオカメラ１０は、操作入力部３４の録画開始ボタンがユーザにより押されると、カメラ部３１から出力されている動画像信号及び音声信号を、符号化処理部３２がＭＰＥＧ-１，２等の所定の符号化方式で符号化する。制御部３４は、符号化処理部３２により生成された符号化データ及び管理制御情報を、フォーマットに従いＤＶＤ＋ＲＷディスク１に記録する。そして、ビデオカメラ１０は、操作入力部３４の停止ボタンがユーザにより押されると、撮影動作及び記録動作を停止する。
【００６１】
ビデオカメラ１０のタイトル管理方法
つぎに、本発明が適用されたビデオカメラ１０による撮影時におけるタイトルの管理方法について説明する。
【００６２】
本発明が適用されたビデオカメラ１０では、ＤＶＤ＋ＲＷディスク１に対して新たな符号化データを記録する場合、原則として、最後に記録されたタイトル（以下、最終タイトルという。）の符号化データに続く物理領域にその新たな符号化データを記録するとともに、その新たな符号化データを最終タイトル中の新たなチャプタとして記録する。
【００６３】
つまり、ビデオカメラ１０では、撮像処理により生成された新たな符号化データを、独立した一つのタイトルとして記録せずに、原則として、最終タイトルの最後尾に連続しているコンテンツとして記録を行う。また、このとき、チャプタを新たな番号に更新をする。ＤＶＤ＋ＲＷにおいて、チャプタの番号は１から昇順に連続番号で付けられてゆくので、新たな符号化データは、最終タイトルの最終のチャプタに続くチャプタとして記録される。
【００６４】
ただし、新たな符号化データを最終タイトルに追加記録してチャプタのみを更新する処理は、あくまで原則であり、以下の（１）〜（５）の場合には、例外的に、新たな符号化データを、新たなタイトルとしてＤＶＤ＋ＲＷディスクに記録する。
【００６５】
（１）最終タイトルのチャプタ数が既にＤＶＤ＋ＲＷで規定された最大数（９９個）となっており、最終タイトルのチャプタをこれ以上増やすことができない場合
（２）ＶＴＳの切換が必要な場合。つまり、動画像の符号化モード（ＭＰＥＧ-１、ＭＰＥＧ-２（ハーフモード）、ＭＰＥＧ-２（標準モード））が、最終タイトルと新たな符号化データとで異なる場合
（３）最終タイトルの音声信号の符号化方式と、新たな符号化データの音声信号の符号化方式とが異なる場合。例えば、ＡＣ３（２ｃｈ）から、ＡＣ３（５．１ｃｈ）に変わった場合
（４）最終タイトルを自機で記録していない場合。つまり、最終タイトルが他機器により記録がされている場合
（５）最終タイトルがプロテクト（そのタイトルが消去禁止又は変更禁止になっている状態）されている場合。
【００６６】
以上の判断は、具体的には、撮影開始に制御部３６が行う。以下、図６、図７にその処理フローを示し、具体的な判断処理について説明をする。
【００６７】
制御部３６は、録画開始ボタンが押されると、以下のステップＳ１から処理を開始する。
【００６８】
まず、ステップＳ１において、制御部３６は、装着されているＤＶＤ＋ＲＷディスク１の全てのタイトルのチャプタ数を合計した総チャプタ数を参照し、ＤＶＤ＋ＲＷディスク１に記録できる残りのチャプタ数が０であるか否かを判断する。ＤＶＤ＋ＲＷの場合、１枚のディスクに含まれているチャプタ数が所定数（例えば２５４）を超えた場合、それ以上の追加記録をすることができないので、当該ステップＳ１では、総チャプタ数がその所定数（例えば２５４）を超えているか否かを判断している。記録可能な残りチャプタ数が０である場合（ステップＳ１のＹｅｓ）には、ステップＳ１１に進み、記録中止処理を行う。記録可能な残りチャプタ数が０ではない場合（ステップＳ１のＮｏ）には、ステップＳ２に進む。
【００６９】
続いて、ステップＳ２において、制御部３６は、装着されているＤＶＤ＋ＲＷディスク１の総セル（Ｃｅｌｌ）数を参照し、ＤＶＤ＋ＲＷディスク１に記録できる残りセル数が０であるか否かを判断する。ＤＶＤ＋ＲＷの場合、１枚のディスクに記録されているセル（Ｃｅｌｌ）の数が所定数（例えば２５４）を超えた場合、それ以上の追加記録をすることができないので、当該ステップＳ２では、総セル数がその所定数（例えば２５４）を超えているか否かを判断している。記録可能な残りセル数が０である場合（ステップＳ２のＹｅｓ）には、ステップＳ１１に進み、記録中止処理を行う。記録可能な残りセル数が０ではない場合（ステップＳ２のＮｏ）には、ステップＳ３に進む。
【００７０】
続いて、ステップＳ３において、制御部３６は、装着されているＤＶＤ＋ＲＷディスク１に記録済みのタイトルが存在するか否かを判断する。つまり、ステップＳ３では、ＤＶＤ＋ＲＷディスク１がフォーマット直後のディスク又は全消去された直後のディスクであるかを判断する。記録済みのタイトルが存在しない場合（ステップＳ３のＹｅｓ）には、ステップＳ１４に進み、初回記録処理を行う。記録済みのタイトルが存在する場合（ステップＳ３のＮｏ）には、ステップＳ４に進む。
【００７１】
続いて、ステップＳ４において、制御部３６は、装着されているＤＶＤ＋ＲＷディスク１の最終タイトル（記録済みのタイトルのうちの最後に記録されたタイトル）が、自機で記録したものか否かを判断する。つまり、ステップＳ４では、上記（４）の場合の判断を行う。最終タイトルを自機で記録していない場合、すなわち、他機で記録した場合（ステップＳ４のＮｏ）には、ステップＳ９の総タイトル数の判断処理に進む。最終タイトルを自機で記録した場合（ステップＳ４のＹｅｓ）には、ステップＳ５に進む。
【００７２】
続いて、ステップＳ５において、制御部３６は、最終タイトルの動画像の符号化モードと、撮影して新たに記録する動画像の符号化モードとが同一か否かを判断する。つまり、ステップＳ５では、上記（２）の場合の判断を行う。動画像の符号化モードが同一ではない場合（ステップＳ５のＮｏ）には、ステップＳ９の総タイトル数の判断処理に進む。動画像の符号化モードが同一である場合（ステップＳ５のＹｅｓ）には、ステップＳ６に進む。
【００７３】
続いて、ステップＳ６において、制御部３６は、最終タイトルの音声の符号化方式と、撮影して新たに記録する音声の符号化方式とが同一か否かを判断する。つまり、ステップＳ５では、上記（３）の場合の判断を行う。音声の符号化方式が同一ではない場合（ステップＳ６のＮｏ）には、ステップＳ９の総タイトル数の判断処理に進む。音声の符号化方式が同一である場合（ステップＳ６のＹｅｓ）には、ステップＳ７に進む。
【００７４】
続いて、ステップＳ７において、制御部３６は、装着されているＤＶＤ＋ＲＷディスク１の最終タイトルのチャプタ数を参照し、最終タイトルのチャプタ数が最大数（９９個）であるか否かを判断する。つまり、ステップＳ７では、上記（１）の場合の判断を行う。
【００７５】
最終タイトルのチャプタ数が最大数（９９個）である場合（ステップＳ７のＹｅｓ）は、ステップＳ９の総タイトル数の判断処理に進む。最終タイトルのチャプタ数が最大数（９９個）である場合（ステップＳ７のＮｏ）には、ステップＳ８に進む。
【００７６】
続いて、ステップＳ８において、制御部３６は、最終タイトルがプロテクト（そのタイトルが消去禁止又は変更禁止になっている状態）されているか否かを判断する。つまり、ステップＳ８では、上記（５）の場合の判断を行う。最終タイトルがプロテクトされている場合（ステップＳ８のＹｅｓ）にはステップＳ１２に進み、別タイトル記録処理を行う。最終タイトルがプロテクトされていない場合（ステップＳ８のＮｏ）にはステップＳ１３に進み、同一タイトル記録処理を行う。
【００７７】
続いて、ステップＳ９において、制御部３６は、最終タイトルのタイトル番号が、ディスク最大タイトル数（４９個）となっているか否かを判断する。つまり、これ以上タイトルを増加させることができないか否かを判断する。最終タイトルのタイトル番号がディスク最大タイトル数（４９個）となっている場合には、ステップＳ１１に進み、記録中止処理を行う。最終タイトルのタイトル番号がディスク最大タイトル数（４９個）となっていない場合には、ステップＳ１２に進み、別タイトル記録処理を行う。
【００７８】
ステップＳ１１の記録中止処理では、制御部３６は、撮影処理を中止させるとともに、表示部３５に中止した旨及びその理由等を表示する。
【００７９】
ステップＳ１２の別タイトル記録処理では、制御部３６は、タイトル番号を、最終タイトルのタイトル番号＋１に設定した新たなタイトルとして、撮影して生成される新たな符号化データを記録する。
【００８０】
ステップＳ１３の同一タイトル記録処理では、制御部３６は、タイトル番号を最終タイトルのタイトル番号に設定するとともにチャプタ番号を最終チャプタ番号＋１に設定して、採取タイトルの新たなチャプタとして、撮影して生成される新たな符号化データを記録する。
【００８１】
ステップＳ１４の初回記録処理では、制御部３６は、タイトル番号を１に設定した新たなタイトルとして、撮影して生成される新たな符号化データを記録する。
【００８２】
バッファセルについて
ＤＶＤ＋ＲＷでは、最終タイトルの最後尾の物理領域に続けて、バッファセル（Buffer Cell）と呼ぶデータを記録することがフォーマットで定められている。バッファセルには、実際の情報内容は含まれていない。
【００８３】
ビデオカメラ１０に装着された直後のＤＶＤ＋ＲＷディスク１は、図８（Ａ）に示すように、最終タイトル（例えばタイトル＃２）の直後に、バッファセルが記録されている。
【００８４】
そのため、ビデオカメラ１０は、新たな符号化データが最終タイトルの最終のチャプタに続くチャプタとして記録される場合、図８（Ｂ）に示すように、既に記録されているバッファセルの先頭から当該新たな符号化データの記録を開始し、ディスク排出時には、図８（Ｃ）に示すように、新たな符号化データの直後に再度バッファセルを記録する。
【００８５】
効果
本発明が適用されたビデオカメラ１０では、新たな符号化データを光ディスクに記録する場合、その新たな符号化データを最終タイトルに含めて記録するとともに、その新たな符号化データをその最終タイトルの最終のチャプタに続くチャプタとして記録する。
【００８６】
このことにより本発明が適用されたビデオカメラ１０では、ＤＶＤ＋ＲＷディスク１に対して符号化データを記録する際に、録画可能回数をより多くし、記録領域を有効に利用することができる。
【図面の簡単な説明】
【００８７】
【図１】本発明が適用されたビデオカメラの外観斜視図である。
【図２】ＤＶＤ＋ＲＷディスク上にコンテンツデータを記録した場合の各ファイル等の記録位置を示す図である。
【図３】ＶＴＳエリアに記録されている情報及びその記録位置を示す図である。
【図４】ＶＴＳ、タイトル、チャプタの関係を示す図である。
【図５】本発明が適用されたビデオカメラのブロック図である。
【図６】撮影開始に制御部が行う処理を示したフローチャートである。
【図７】図６に続くフローチャートである。
【図８】バッファセルの記録方法について説明をする図である。
【符号の説明】
【００８８】
１  ＤＶＤ＋ＲＷディスク、１０  ビデオカメラ、３１  カメラ部、３２  符号化処理部、３３  ＤＶＤ記録ドライブ、３４  操作入力部、３５  表示部
【図１】
2006190382.tif 000003
【図２】
2006190382.tif 000004
【図３】
2006190382.tif 000005
【図４】
2006190382.tif 000006
【図５】
2006190382.tif 000007
【図６】
2006190382.tif 000008
【図７】
2006190382.tif 000009
【図８】
2006190382.tif 000010